(57)【要約】  記録媒体に記録されたコンテンツの再生をユーザが指示した際に、該コンテンツの情報を記録し、該情報に基づいてユーザの嗜好番組を抽出する技術を提供する。このため、ユーザの操作に応じて記録媒体に記憶されたコンテンツを再生し、前記コンテンツが再生された場合に、該再生されたコンテンツを示す情報を読み出して再生履歴情報として記録し、放送される番組のリストを受信し、前記リストから前記再生履歴情報に応じた番組を前記ユーザの嗜好番組として抽出する。
2008090609.tif 000002
【特許請求の範囲】
【請求項１】
ユーザの操作に応じて記録媒体に記憶されたコンテンツを再生する再生部と、
前記コンテンツが再生された場合に、該再生されたコンテンツを示す情報を読み出して再生履歴情報として記録する情報登録部と、
放送される番組のリストを受信するリスト受信部と、
前記リストから前記再生履歴情報に応じた番組を前記ユーザの嗜好番組として抽出する抽出部と、
を備えた嗜好番組抽出装置。
【請求項２】
前記再生部は、ユーザの操作によって、ユーザが任意に前記コンテンツの再生の開始又は停止が可能である請求項１に記載の嗜好番組抽出装置。
【請求項３】
前記番組を受信する番組受信部と、
受信した前記番組の表示中に、前記嗜好番組を示す情報を表示させる表示制御部と、
を備える請求項１又は２に記載の嗜好番組抽出装置。
【請求項４】
前記表示制御部が、前記嗜好番組を示す情報と共に当該番組を記録するための選択肢を表示させ、該選択肢が選択された場合に、当該番組を記録する番組記録部を備えた請求項３に記載の嗜好番組抽出装置。
【請求項５】
前記情報登録部が、読み出した前記コンテンツを示す情報と対応する詳細情報をデータベースから読み出し、前記再生履歴情報として記録する請求項１から４の何れかに記載の嗜好番組抽出装置。
【請求項６】
ユーザの操作に応じて記録媒体に記憶されたコンテンツを再生するステップと、
前記コンテンツが再生された場合に、該再生されたコンテンツを示す情報を読み出して再生履歴情報として記録するステップと、
放送される番組のリストを受信するステップと、
前記リストから前記再生履歴情報に応じた番組を前記ユーザの嗜好番組として抽出するステップと、
を嗜好番組抽出装置が実行する嗜好番組抽出方法。
【請求項７】
前記コンテンツを再生するステップにおいて、ユーザの操作によって、ユーザが任意に前記コンテンツの再生の開始又は停止が可能である請求項６に記載の嗜好番組抽出方法。
【請求項８】
前記番組を受信するステップと、
受信した前記番組の表示中に、前記嗜好番組を示す情報を表示させるステップと、
を含む請求項６又は７に記載の嗜好番組抽出方法。
【請求項９】
前記嗜好番組を示す情報を表示する際、該情報と共に当該番組を記録するための選択肢を表示し、
前記選択肢が選択された場合に、当該番組を記録するステップを含む請求項８に記載の嗜好番組抽出方法。
【請求項１０】
前記読み出したコンテンツを示す情報と対応する詳細情報をデータベースから読み出すステップを含む請求項６から９の何れかに記載の嗜好番組抽出方法。
【請求項１１】
ユーザの操作に応じて記録媒体に記憶されたコンテンツを再生するステップと、
前記コンテンツが再生された場合に、該再生されたコンテンツを示す情報を読み出して再生履歴情報として記録するステップと、
放送される番組のリストを受信するステップと、
前記リストから前記再生履歴情報に応じた番組を前記ユーザの嗜好番組として抽出するステップと、
をコンピュータに実行させる嗜好番組抽出プログラム。
【請求項１２】
前記コンテンツを再生するステップにおいて、ユーザの操作によって、ユーザが任意に前記コンテンツの再生の開始又は停止が可能である請求項１１に記載の嗜好番組抽出プログラム。
【請求項１３】
前記番組を受信するステップと、
受信した前記番組の表示中に、前記嗜好番組を示す情報を表示させるステップと、
を含む請求項１１又は１２に記載の嗜好番組抽出プログラム。
【請求項１４】
前記嗜好番組を示す情報を表示する際、該情報と共に当該番組を記録するための選択肢を表示し、
前記選択肢が選択された場合に、当該番組を記録するステップを含む請求項１３に記載の嗜好番組抽出プログラム。
【請求項１５】
前記読み出したコンテンツを示す情報と対応する詳細情報をデータベースから読み出すステップを含む請求項１１から１４の何れかに記載の嗜好番組抽出プログラム。
【発明の詳細な説明】
【技術分野】
【０００１】
本発明は、ユーザの嗜好に適合する番組を抽出する技術に関する。
【背景技術】
【０００２】
近年、パーソナルコンピュータは、テレビ番組の視聴や、DVD-Videoの再生など、種々の機能を備えている。【０００３】
このテレビ番組を視聴する場合に、ユーザ（視聴者）が、該コンピュータのディスプレイ上に電子番組表(EPG)を表示させ、ＥＰＧから好みの番組を見つけて視聴するといった使い方が一般的になってきている。このＥＰＧは、放送波の一部を使って送信されているため、テレビ番組を視聴できる環境にあれば利用できるので、従来の印刷された番組表を別途用意するよりも手軽である。【０００４】
しかし、ＥＰＧでは、多くのチャンネルや、多くの時間帯を見ようとすると、コンピュータのディスプレイ上に一部分しか入らず、スクロールしながら見ることになるため、一覧性が悪く、好みの番組を探し難い場合があった。特に、テレビ番組を視聴している最中は、テレビ番組を表示しているウインドウ以外の限られたスペースで探さなければならず、非常に困難であった。【０００５】
このため過去に視聴したテレビ番組の情報を蓄積し、ユーザの嗜好にあった番組を抽出する装置が提案されている。
【特許文献１】国際公開０２／０５９７８５号
【特許文献２】特開平１１−１３４３４５号公報
【発明の開示】
【発明が解決しようとする課題】
【０００６】
しかし、ユーザの嗜好を判断するために、過去に視聴した情報を記録する方式であると、ユーザが好みの番組を探すためにザッピングした場合等の情報も記録されてしまうので、正しくユーザの嗜好を反映しないことがあった。【０００７】
また、ザッピングの結果、視聴したい番組がなかった場合、ユーザが、とりあえずニュースや天気予報等の一般的な番組を選ぶこともある。このような一般的な番組の情報は、ユーザの嗜好を示すものではなく、上記のようにユーザの嗜好を判断する上ではノイズとなってしまう。【０００８】
更に、テレビを点けた時に視聴したい番組が始まっていなかった場合、その視聴したい番組が始まるまでテレビを点けておくこともあるが、このとき放送されている番組の情報は、ユーザの嗜好とは関係が無く、上記と同様にユーザの嗜好を判断する上でノイズとなってしまう。【０００９】
このように、テレビ番組は、放送局側のスケジュールで一方的に放送されるため、ユーザの好みと関係無く視聴されることがあり、これらの情報から精度良くユーザの嗜好を判断するのは困難である。【００１０】
そこで、本発明では、DVD-Videoの再生等のように、記録媒体に記録されたコンテンツの再生をユーザが指示した際に、該コンテンツの情報を記録し、該情報に基づいてユーザの嗜好番組を抽出する技術を提供する。
【課題を解決するための手段】
【００１１】
上記課題を解決するため、本発明は、以下の構成を採用した。
即ち、本発明の嗜好番組抽出装置は、
ユーザの操作に応じて記録媒体に記憶されたコンテンツを再生する再生部と、
前記コンテンツが再生された場合に、該再生されたコンテンツを示す情報を読み出して再生履歴情報として記録する情報登録部と、
放送される番組のリストを受信するリスト受信部と、
前記リストから前記再生履歴情報に応じた番組を前記ユーザの嗜好番組として抽出する抽出部とを備えた。【００１２】
前記再生部は、ユーザの操作によって、ユーザが任意に前記コンテンツの再生の開始又は停止が可能であっても良い。【００１３】
前記嗜好番組抽出装置は、番組を受信する番組受信部と、受信した前記番組の表示中に、前記嗜好番組を示す情報を表示させる表示制御部と、を備えても良い。【００１４】
前記嗜好番組抽出装置は、前記表示制御部が、前記嗜好番組を示す情報と共に当該番組を記録するための選択肢を表示させ、該選択肢が選択された場合に、当該番組を記録する番組記録部を備えても良い。【００１５】
前記情報登録部は、読み出した前記コンテンツを示す情報と対応する詳細情報をデータベースから読み出し、前記再生履歴情報として記録しても良い。【００１６】
また、本発明の嗜好番組抽出方法は、
ユーザの操作に応じて記録媒体に記憶されたコンテンツを再生するステップと、
前記コンテンツが再生された場合に、該再生されたコンテンツを示す情報を読み出して再生履歴情報として記録するステップと、
放送される番組のリストを受信するステップと、
前記リストから前記再生履歴情報に応じた番組を前記ユーザの嗜好番組として抽出するステップと、を嗜好番組抽出装置が実行する。【００１７】
前記嗜好番組抽出方法は、前記コンテンツを再生するステップにおいて、ユーザの操作によって、ユーザが任意に前記コンテンツの再生の開始又は停止が可能であっても良い。【００１８】
前記嗜好番組抽出方法は、番組を受信するステップと、受信した前記番組の表示中に、前記嗜好番組を示す情報を表示させるステップとを更に含んでも良い。【００１９】
前記嗜好番組抽出方法は、前記嗜好番組を示す情報を表示する際、該情報と共に当該番組を記録するための選択肢を表示し、
前記選択肢が選択された場合に、当該番組を記録するステップを含んでも良い。【００２０】
前記嗜好番組抽出方法は、前記読み出したコンテンツを示す情報と対応する詳細情報をデータベースから読み出すステップを含んでも良い。【００２１】
また、本発明は、上記嗜好番組抽出方法をコンピュータに実行させるプログラムであっても良い。更に、本発明は、このプログラムをコンピュータが読み取り可能な記録媒体に記録したものであっても良い。コンピュータに、この記録媒体のプログラムを読み込ませて実行させることにより、その機能を提供させることができる。【００２２】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。【００２３】
また、コンピュータに固定された記録媒体としてハードディスクやＲＯＭ（リードオンリーメモリ）等がある。
【発明の効果】
【００２４】
本発明によれば、記録媒体に記録されたコンテンツの再生をユーザが指示した際に、該コンテンツの情報を記録し、該情報に基づいてユーザの嗜好番組を抽出する技術を提供できる。
【図面の簡単な説明】
【００２５】
【図１】本発明に係る嗜好番組抽出装置の概略図
【図２】本発明に係る嗜好番組抽出装置の機能ブロック図
【図３】再生した記録媒体から再生履歴情報を登録する処理の説明図
【図４】トップメニューの一例を示す図
【図５】履歴データベースの説明図
【図６】嗜好番組の情報を抽出及び表示する処理の説明図
【図７】番組リストの一例を示す図
【図８】嗜好番組の情報の表示例を示す図
【図９】嗜好番組の情報を表示する処理の説明図
【図１０】嗜好番組の情報を表示する処理の説明図
【図１１】詳細情報の表示例を示す図
【発明を実施するための最良の形態】
【００２６】
図１は、本発明に係る嗜好番組抽出装置としてのコンピュータの概略図、図２は、該嗜好番組抽出装置を構成する各部の機能ブロック図である。
本例の嗜好番組抽出装置１０は、ＣＰＵ（central processing unit）やメインメモリ等よりなる演算処理部１２、演算処理の為のデータやソフトウェアを記憶した記憶部（ハードディスク）１３、入出力ポート１４、通信制御部（ＣＣＵ：Communication Control Unit）１５等を備えた汎用のコンピュータである。【００２７】
該入出力ポート１４には、操作部（キーボード、マウス等）１８、ＤＶＤドライブ２０、ＴＶチューナ（番組受信部に相当）１９等の入力デバイス、そして表示装置やプリンター等の出力デバイスが適宜接続される。【００２８】
ＴＶチューナ１９は、放送局からの電波、即ち放送されている番組を受信し、画像や音声の信号（以下単に映像情報とも称する）及びＥＰＧ（Electronic Program Guide、番組のリストに相当）を演算処理部１２に入力する。【００２９】
ＣＣＵ１５は、ネットワークを介して他のコンピュータと通信を行うものである。
記憶部１３には、オペレーティングシステム（ＯＳ）やアプリケーションソフト（嗜好番組抽出プログラム）がインストールされている。また、本例の記憶部１３には、再生履歴情報が登録された履歴データベースが構築（記憶）されている【００３０】
演算処理部１２は、前記ＯＳやアプリケーションソフトを記憶部１３から適宜読み出して実行し、入出力ポート１４やＣＣＵ１５から入力された情報、及び記憶部１３から読み出した情報を演算処理することにより、再生部２１や、情報登録部２２、リスト受信部２３、抽出部２４、番組記録部２５、表示制御部２６としても機能する。【００３１】
この再生部２１としては、ユーザの操作に応じて記録媒体に記憶されたコンテンツを再生する。即ち、該再生部２１は、ユーザがＤＶＤドライブ（読取装置）２０にセットしたＣＤやＤＶＤ等の記録媒体に記録されたコンテンツから映像情報を読出してデコードし、映像を表示装置に表示させると共に、音声をスピーカから出力する。なお、ユーザは、セットする記録媒体（コンテンツ）を自由に選択でき、前記コンテンツの再生の開始又は停止を任意に操作可能である。【００３２】
情報登録部２２としては、前記再生部２１の動作を検出しており、コンテンツが再生されたことを検出した場合には、該再生されたコンテンツを示す情報を読み出して再生履歴情報として前記履歴データベースに登録（記録）する。【００３３】
リスト受信部２３としては、前記放送局からの電波により、番組と共に放送されているＥＰＧを前記ＴＶチューナ１９を介して受信する。
抽出部２４としては、後述のように再生履歴情報からユーザの嗜好を求め、ＥＰＧから該ユーザの嗜好に適合した番組を当該ユーザの嗜好番組として抽出する。【００３４】
表示制御部２６としては、受信した前記番組の表示中に、前記嗜好番組を示す情報を表示させる。このとき該表示制御部２６は、嗜好番組を示す情報と共に当該嗜好番組を記録又は表示するための選択肢を表示させても良い。【００３５】
番組記録部２５としては、ユーザによって前記選択肢が選択された場合に、当該番組を記録する。
このように本例の嗜好番組抽出装置１０が実行するアプリケーションソフト（嗜好番組抽出プログラム）は、ＣＤ・ＤＶＤの再生機能、及びＴＶ番組の視聴や録画の機能を有した所謂統合アプリである。そこで該嗜好番組抽出装置１０は、再生部２１で再生したＣＤやＤＶＤ、ＶＣＤのタイトル等の情報に基づき、表示制御部２６で表示させるＴＶ番組のうち、ユーザの嗜好に適合した嗜好番組を抽出する。【００３６】
この統合アプリを実行することにより、本例の嗜好番組抽出装置１０が行う嗜好番組抽出方法について図３〜図１３を用いて以下に説明する。【００３７】
図３は、再生した記録媒体から再生履歴情報を登録する際の説明図である。
先ず、ユーザの操作により統合アプリの起動が指示されると、演算処理部１２は、記録装置１３から該統合アプリを読出して実行する（ステップ１、以下Ｓ１のように略記する）。図４は、該統合アプリを起動した際、表示制御部２６が表示装置上に表示させるトップメニューを示している。【００３８】
ユーザは、このメニューから、所望のモードを選択する。即ち、演算処理部１２は、ユーザによってＤＶＤモードが選択されたと判定した場合（Ｓ２）、ステップ３以降の処理を実行する。【００３９】
ここで、情報登録部２２は、ユーザによってＤＶＤドライブ２０にＤＶＤがセットされたことを検知した場合（Ｓ３）、該ＤＶＤのタイトルや、ボリュームラベル、ボリュームシリアル等の情報を当該ＤＶＤから読出し（Ｓ４）、再生履歴情報として記憶部１３の履歴データベースに登録する（Ｓ５）。【００４０】
そして、再生部２１は、前記ＤＶＤに記録されているコンテンツの再生を行う（Ｓ６）。
また、情報登録部２２は、再生部２１で再生した画像を所定時間毎にキャプチャし、前記再生履歴情報に追加する。本例では、該情報登録部２２が、再生開始から５×ｎ分経過したか否かを判定し（Ｓ７）、経過した度に再生した画像をキャプチャし、静止画像（サムネイル画像）として前記再生履歴情報に追加する（Ｓ８）。【００４１】
このとき情報登録部２２は、ｎが１０になるまで、前記キャプチャ（Ｓ７，Ｓ８）を繰り返し（Ｓ９）、ｎが１０に達した場合、履歴データベースを保存し、再生履歴情報の登録処理を終了する（Ｓ１０）。該情報登録部２２は、前記ＤＶＤから取得した情報に加えて、視聴日（最後に再生した日付や時間）、視聴回数（当該ＤＶＤを再生した積算数）、ユーザ名（再生時のＯＳのユーザ名）を取得し、前記再生履歴情報に加えても良い。【００４２】
図５は、該再生履歴情報を登録する履歴データベースの説明図である。この履歴データベースは、各ＤＶＤのボリュームシリアル或はボリュームラベル毎に、タイトル、視聴日、視聴回数、ユーザ名、静止画のパス名等を対応付けて記憶している。【００４３】
なお、情報登録部２２は、ＤＶＤのボリュームシリアル或はボリュームラベルと対応する情報をインターネット等のネットワークを介して他のコンピュータから取得し、前記再生履歴情報としても良い。該情報の取得は、特定のサイトのデータベースを検索して取得しても良いし、検索エンジン等を利用し、不特定のサイトを検索して取得しても良い。【００４４】
そして、コンテンツの再生が完了した場合や、ユーザによって停止ボタンが選択された場合、演算処理部１２は、ＤＶＤモードを終了する（Ｓ１１）。【００４５】
次に、図６を用いて、テレビ視聴時に嗜好番組の情報を抽出及び表示する処理を説明する。【００４６】
演算処理部１２は、ユーザが前記トップメニューからテレビモードを選択したことを検出すると、ステップ２１以降の処理を実行する。【００４７】
先ず、表示制御部２６は、ＴＶチューナ１９で受信したテレビ番組を表示装置上に表示させる（Ｓ２１）。【００４８】
また、リスト受信部２３は、ＴＶチューナ１９を介してＥＰＧを受信し（Ｓ２２）、所定期間内のリスト、本例では現在時間から２４時間後までのリストをメモリに保持する（Ｓ２３）。図７は、このリストの一例であり、各チャンネルで放送される番組の情報（タイトル、放送時間、出演者、概要等）を含んでいる。【００４９】
抽出部２４は、前記履歴データベースから再生履歴情報をメモリ上に読み出す（Ｓ２４）。
演算処理部１２は、現在のチャネルの表示時間が所定時間（例えば５分）に達するまで待機し、該所定時間に達した場合にはザッピングではなく、ユーザが視聴していると判断してステップ２６以降の抽出処理を実行する（Ｓ２５）。【００５０】
抽出部２４は、前記番組のタイトルが前記再生履歴情報の少なくとも一部と一致する番組をユーザの嗜好に適合した嗜好番組として前記メモリ上のリストから抽出する（Ｓ２６）。【００５１】
また、抽出部２４は、前記番組の情報に前記再生履歴情報の少なくとも一部を含む番組をユーザの嗜好に適合した嗜好番組として前記メモリ上のリストから抽出する（Ｓ２７）。【００５２】
図５に示すように再生履歴情報のタイトルが、”地球遺産Vol.9  カンボジア編  ／田中絵里”であった場合、単語や文節などの所定単位に分割して、キーワードを生成する。このときキーワードとして不要な語句を設定しておき、削除しても良い。例えばVol.9、編、／を削除し、地球遺産、カンボジア、田中絵里をキーワードとする。【００５３】
そして、ステップ２６では、このキーワードがタイトルと部分一致する番組の情報を検索する。図７の例では、情報７１を抽出する。【００５４】
また、ステップ２７では、前記キーワードが含まれる番組の情報を抽出する。図７の例では情報７２を抽出する。【００５５】
このとき、一致する番組の情報が複数ある場合、一致するキーワードが多いものや、キーワードが長いもの等の所定条件に照らして嗜好度を求め、嗜好度の高い一つ或は所定数を抽出しても良い。この嗜好度を求める際、視聴日や視聴回数を用い、視聴日が新しいもの、視聴回数が多いものを条件としても良い。また、抽出部２４は、ＯＳのユーザ名の取得や、ユーザによるコードの入力、ユーザの生体情報の読取などによってテレビを視聴しているユーザを特定し、当該ユーザ名と対応付けて記憶されている再生履歴情報から嗜好番組を抽出しても良い。【００５６】
ステップ２６で、一致するタイトルがあった場合、表示制御部２６は、図８に示すように抽出した情報１を情報表示欄５１に表示させる（Ｓ２８，Ｓ２９）。同様に、ステップ２７でキーワードを含む番組の情報があった場合、表示制御部２６は、図８に示すように抽出した情報２を情報表示欄５１に表示させる（Ｓ３０，Ｓ３１）。【００５７】
そして、演算処理部１２は、ユーザによってテレビモードの終了が選択されるまでステップ２８に戻って表示を繰り返す、或は一時間毎にステップ２６へ戻って抽出及び表示の処理を繰り返す（Ｓ３２）。【００５８】
図９は、ステップ２９における情報１を表示する処理を示している。ここで、表示制御部２６は、ステップ２６で一致したＤＶＤのタイトル６１や、抽出した番組の情報６２、情報１に対する操作を選択させるダイアログ（選択肢）５２を表示する（Ｓ４１）。【００５９】
また、表示制御部２６は、現在の時間と放送時間を比較し、当該番組が始まるまでの時間６３を求めて表示し（Ｓ４２）、当該ＤＶＤの静止画像６４を表示する（Ｓ４３）。該静止画像６４の表示は、履歴データベースに登録した１０枚の画像を２秒ずつ順に切り替えてエンドレスに表示する。【００６０】
そして、表示制御部２６は、情報１の消去が選択されたことを検出した場合、即ちダイアログ５２のボタン５２Ａが選択（クリック）されたと判別した場合に、情報１及びダイアログ５２を消す（Ｓ４４，Ｓ４６）。【００６１】
また、表示制御部２６は、現在の時間と放送時間を比較し、当該番組の放送が終了したと判別した場合に、情報１及びダイアログ５２を消す（Ｓ４５，Ｓ４６）。【００６２】
一方、ステップ４４で消去が選択されず、ステップ４５で放送時間が終了していないと判別した場合、表示制御部２６は、テレビモードが終了するまで上記処理を繰り返す（Ｓ３２）。【００６３】
また、図１０は、ステップ３１における情報２を表示する処理を示している。ここで、表示制御部２６は、ステップ２７で抽出した番組の情報６６や、該抽出に用いたＤＶＤタイトル６７、ＤＶＤ（記録媒体）の詳細情報を表示するための選択肢６８、情報２に対する操作を選択させるダイアログ（選択肢）５２を表示する（Ｓ５１）。【００６４】
なお、選択肢６８が選択された場合、インターネット等のネットワークを介して接続するサーバの中から当該ＤＶＤのボリュームラベルと対応する詳細情報を検索して表示する。本例では、図１１に示すように、タイトル、発売日、価格、商品番号、説明等のＤＶＤの製品情報７３を表示している。該製品情報（詳細情報）７３は、情報２の表示毎に検索して表示しても良いし、予め再生履歴情報の登録時に検索して履歴データベースに登録しておき、該データベースから読み出して表示しても良い。【００６５】
そして、表示制御部２６は、情報２の消去が選択されたことを検出した場合、即ちダイアログ５３のボタン５３Ａが選択（クリック）されたと判別した場合に、情報２及びダイアログ５３を消す（Ｓ５２，Ｓ５４）。【００６６】
また、表示制御部２６は、現在の時間と放送時間を比較し、当該番組の放送が終了したと判別した場合に、情報２及びダイアログ５３を消す（Ｓ５３，Ｓ５４）。【００６７】
一方、ステップ５２で消去が選択されず、ステップ５３で放送時間が終了していないと判別した場合、表示制御部２６は、テレビモードが終了するまで上記処理を繰り返す（Ｓ３２）。【００６８】
なお、ダイアログ５２，５３で、情報１，２を消去しない旨、選択肢５２Ｂ，５３Ｂが選択された場合には、ステップ４１，５１で該ダイアログ５２，５３を表示しなくて良い。【００６９】
このように、本実施形態によれば、ＤＶＤやＣＤ等の記録媒体上のコンテンツを再生した情報に基づいて嗜好番組を抽出して表示させるので、精度良くユーザの嗜好に適合した番組の情報を表示させることができる。【００７０】
即ち、再生の開始や停止をユーザが任意に操作可能なコンテンツの再生履歴情報に基づくので、従来のようにユーザの意に反して視聴した番組の情報がノイズとして含まれることがなく、精度良くユーザの嗜好を求めることができる。【００７１】
前述の実施形態１の嗜好番組抽出装置は、ソフトウェアによって各部の機能を実現していたが、本発明の嗜好番組抽出装置はこれに限らず、各部をそれぞれ電子回路等のハードウェアで構成されたＤＶＤレコーダ等の電子機器であっても良い。【００７２】
上記では、記録媒体としてＤＶＤを用いた例を説明したが、嗜好番組抽出装置１０が読取可能であれば、ＣＤ、ＶＣＤ、メモリ等の記録媒体を用いても良い。なお、音楽ＣＤのように、画像を含まない記録媒体の場合、画像のキャプチャを省略する。また、画像のキャプチャに代えてボリュームラベルと対応するジャケットやパッケージの画像をネットワークを介して他のコンピュータから取得しても良い。【００７３】
また、上記実施形態では、情報１，２に対する操作として消去の選択肢を表示したが、これに限らず、録画予約、視聴予約などの選択肢を表示しても良い。【００７４】
例えば、該録画予約が選択された場合、番組記録部２５は、情報１，２の番組情報に基づき、放送時間やチャンネルを録画予約情報として記憶装置１３及びタイマー（不図示、ＯＳのタスク機能等）に登録する。そして、演算処理部１２は、該タイマーから放送開始時間になった通知を受けた場合、前記統合アプリをテレビモードで起動し、番組記憶部２５が、ＴＶチューナ１９を介して受信した番組を記憶装置１３に記憶する。【００７５】
また、視聴予約が選択された場合、演算処理部１２は、情報１，２の番組情報に基づき、放送時間やチャンネルを予約情報として記憶装置１３及びタイマーに登録する。そして、演算処理部１２は、該タイマーから放送開始時間になった通知を受けた場合、前記統合アプリをテレビモードで起動し、表示制御部２６が、ＴＶチューナ１９を介して受信した番組を表示装置に表示させる。
【図１】
2008090609.tif 000003
【図２】
2008090609.tif 000004
【図３】
2008090609.tif 000005
【図４】
2008090609.tif 000006
【図５】
2008090609.tif 000007
【図６】
2008090609.tif 000008
【図７】
2008090609.tif 000009
【図８】
2008090609.tif 000010
【図９】
2008090609.tif 000011
【図１０】
2008090609.tif 000012
【図１１】
2008090609.tif 000013
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
放送以外の手段により提供されたコンテンツをユーザの操作に応じて再生する再生部と、
前記コンテンツが再生された場合に、該再生されたコンテンツを示す情報を読み出して再生履歴情報として記録する情報登録部と、
放送される番組のリストを受信するリスト受信部と、
前記リストから前記再生履歴情報に応じた番組を前記ユーザの嗜好番組として抽出する抽出部と、
を備えた嗜好番組抽出装置。
【請求項２】
前記番組を受信する番組受信部と、
受信した前記番組の表示中に、前記嗜好番組を示す情報を表示させる表示制御部と、
を備える請求項１に記載の嗜好番組抽出装置。
【請求項３】
前記表示制御部が、前記嗜好番組を示す情報と共に当該番組を記録するための選択肢を表示させ、該選択肢が選択された場合に、当該番組を記録する番組記録部を備えた請求項２に記載の嗜好番組抽出装置。
【請求項４】
前記情報登録部が、読み出した前記コンテンツを示す情報と対応する詳細情報をデータベースから読み出し、前記再生履歴情報として記録する請求項１から３の何れか１項に記載の嗜好番組抽出装置。
【請求項５】
放送以外の手段により提供されたコンテンツをユーザの操作に応じて再生するステップと、
前記コンテンツが再生された場合に、該再生されたコンテンツを示す情報を読み出して再生履歴情報として記録するステップと、
放送される番組のリストを受信するステップと、
前記リストから前記再生履歴情報に応じた番組を前記ユーザの嗜好番組として抽出するステップと、
を嗜好番組抽出装置が実行する嗜好番組抽出方法。
【請求項６】
前記番組を受信するステップと、
受信した前記番組の表示中に、前記嗜好番組を示す情報を表示させるステップと、
を含む請求項５に記載の嗜好番組抽出方法。
【請求項７】
前記嗜好番組を示す情報を表示する際、該情報と共に当該番組を記録するための選択肢を表示し、
前記選択肢が選択された場合に、当該番組を記録するステップを含む請求項６に記載の嗜好番組抽出方法。
【請求項８】
放送以外の手段により提供されたコンテンツをユーザの操作に応じて再生するステップと、
前記コンテンツが再生された場合に、該再生されたコンテンツを示す情報を読み出して再生履歴情報として記録するステップと、
放送される番組のリストを受信するステップと、
前記リストから前記再生履歴情報に応じた番組を前記ユーザの嗜好番組として抽出するステップと、
をコンピュータに実行させる嗜好番組抽出プログラム。
【請求項９】
前記番組を受信するステップと、
受信した前記番組の表示中に、前記嗜好番組を示す情報を表示させるステップと、
を含む請求項８に記載の嗜好番組抽出プログラム。
【請求項１０】
前記嗜好番組を示す情報を表示する際、該情報と共に当該番組を記録するための選択肢を表示し、
前記選択肢が選択された場合に、当該番組を記録するステップを含む請求項９に記載の嗜好番組抽出プログラム。
【国際調査報告】
2008090609.tif 000014
2008090609.tif 000015